(57)【要約】【課題】  複数の電子機器をリモートコントロール可能とし、ユーザにとって直感的で分かり易い操作を実現可能とする。【解決手段】  携帯電話端末１０は、上部筐体と下部筐体との間の相対的角度と電子機器Ａ〜Ｄを各々リモートコントロールするための各リモートコントロール用アプリケーションプログラムとを対応付けて登録可能となされている。したがって、所望の電子機器（例えば電子機器Ｄ）をリモートコントロールする場合には、上部筐体と下部筐体との間の相対的角度を電子機器Ｄ用に登録した角度にする。これにより、その電子機器Ｄのリモートコントロール用アプリケーションプログラムが起動し、当該電子機器Ｄの遠隔操作が可能となる。【選択図】  図７
2007067511.tif 000002
【特許請求の範囲】
【請求項１】
連結部を介して各筐体間の相対的な配置状態を変更可能に連結された少なくとも二つの筐体と、
所定の通信方式により近距離無線信号を少なくとも送信する近距離無線送信部と、
上記筐体間の相対的な配置状態を検出する配置状態検出部と、
上記配置状態検出部にて検出可能で且つ複数の電子機器に各々関連付けられた複数の相対的配置状態と、上記複数の電子機器を各々遠隔操作するための複数の遠隔操作用アプリケーションプログラムとを、それぞれ任意に対応付けた対応表を記憶する記憶部と、
上記配置状態検出部にて検出された上記相対的配置状態に基づいて、上記記憶部の対応表から遠隔操作用アプリケーションプログラムを参照してその遠隔操作用アプリケーションプログラムを起動し、当該遠隔操作用アプリケーションプログラムによる制御コマンドを上記近距離無線送信部から送出させる制御部とを有する
ことを特徴とする携帯情報端末。
【請求項２】
請求項１記載の携帯情報端末であって、
上記連結部は、上部筐体及びその下側に配される下部筐体の一端部に設けられ、両筐体をそれぞれの主面に対して水平方向に回動自在に連結する回転ヒンジ機構を有することを特徴とする携帯情報端末。
【請求項３】
請求項１記載の携帯情報端末であって、
上記制御部は、利用者からの指示に応じて、上記遠隔操作用アプリケーションプログラムが起動している状態をホールドすることを特徴とする携帯情報端末。
【請求項４】
請求項１記載の携帯情報端末であって、
上記制御部は、上記記憶部に記憶されている対応表を参照した際に、上記配置状態検出部にて検出された上記相対的配置状態に応じた遠隔操作用アプリケーションプログラムを参照できなかった時には、上記複数の遠隔操作用アプリケーションプログラムのリストから所望の遠隔操作用アプリケーションプログラムを選択可能に利用者へ提示する選択メニュー提示プログラムを実行することを特徴とする携帯情報端末。
【請求項５】
連結部を介して各筐体間の相対的な配置状態が変更可能に連結された少なくとも二つの筐体間の相対的な配置状態を配置状態検出部が検出するステップと、
複数の電子機器に各々関連付けられた複数の相対的配置状態と、上記複数の電子機器を各々遠隔操作するための複数の遠隔操作用アプリケーションプログラムとが、それぞれ任意に対応付けて記憶部に記憶されている対応表から、上記検出のステップにて検出された相対的配置状態に応じた遠隔操作用アプリケーションプログラムを参照するステップと、
上記参照のステップにより得られた遠隔操作用アプリケーションプログラムを起動するステップと、
上記起動した遠隔操作用アプリケーションプログラムによる制御コマンドを近距離無線送信部から送出させるステップとを有する
ことを特徴とするリモートコントロール方法。
【発明の詳細な説明】
【技術分野】
【０００１】
本発明は、例えばテレビジョン受像機やビデオディスクレコーダ、オーディオ装置等の各種機器をリモートコントロール可能な機能を備えた携帯電話端末やＰＤＡ（Personal Digital Assistant）等の携帯情報端末及びリモートコントロール方法に関する。
【背景技術】
【０００２】
近年は、例えば、テレビジョン受像機、ビデオディスクレコーダ、オーディオ機器、エアコンディショナ、照明器具などの各種家庭用の電子機器が、人々の周囲に溢れている。それら各種機器は、殆どが電子制御化されており、各機器専用のリモートコントローラ（いわゆるリモコン）により遠隔操作可能となされていることが多い。
【０００３】
なお、特開２００３−８６９５号の公開特許公報（特許文献１）には、ミュージックプレーヤ機能、メール機能、携帯電話機能、ディジタルカメラ機能などの各種機能を各々実行可能なアプリケーションプログラムをメモリに格納している携帯情報端末機が開示されている。また、この携帯情報端末機は、互いの相対的位置が変更自在に連結されている複数の本体構成部を備え、それら本体構成部を互いに連結する連結部に、その連結部にて連結されている本体構成部の互いの相対位置を検出する位置検出部材が取り付けられている。そして、この携帯情報端末機においては、互いに連結されている本体構成部の任意の相対位置と、メモリ内の任意のアプリケーションプログラムとが、予め対応付けられており、前記位置検出部材により、本体構成部の任意の相対的位置が検出された時、その検出された相対的位置に対応するアプリケーションプログラムが起動されるようになされている。また、この公開特許公報によれば、携帯情報端末機の機能例として、他機器のリモートコントロール機能についても記載されているため、上述のような本体構成部の任意の相対的位置の検出により、当該リモートコントロール機能用のアプリケーションプログラムを起動させることも可能であると思われる。
【０００４】
【特許文献１】特開２００３−８６９５号公報（第３図、第４図、第５図）
【発明の開示】
【発明が解決しようとする課題】
【０００５】
ところで、近年の家庭においては、各種の電子機器が増えるにつれて、それら各電子機器の専用リモートコントローラの数も増えてしまい、それら複数のリモートコントローラが例えばリビング内に散乱してしまうようになり、所望の電子機器を制御する際には、それら散乱したリモートコントローラの中から、当該所望の電子機器用のリモートコントローラを探し出さなければならなくなる。また、ユーザは、それら全てのリモートコントローラの操作を憶えなければならなくなる。このように、リモートコントローラの数が増えれば増えるほど、本来は電子機器の操作を容易にするためのものであるのにもかかわらず、ユーザにとって非常に使いにくいものになってしまうことになりかねない。
【０００６】
一方で、例えば携帯電話端末のような携帯情報端末に、複数の電子機器を各々リモートコントロール可能な機能を搭載できれば、その携帯情報端末一つで複数の電子機器を操作できるようになり、上述したような複数のリモートコントロールがリビング内に散乱してしまうような状態を無くすことができ、また、一つの携帯情報端末で複数の電子機器を制御できるため、統一された操作感を実現できるようになり、ユーザにとって使い易いものとなる可能性がある。
【０００７】
しかしながら、携帯情報端末に搭載されているリモートコントロール機能を用いて、例えばテレビジョン受像機、ビデオディスクレコーダ、オーディオ機器、エアコンディショナ、照明器具などの各種家庭用の電子機器をそれぞれリモートコントロール可能とした場合、当該携帯情報端末では、それら各電子機器の種類やメーカ毎にリモートコントロール機能の設定を切り替えなければならなくなる。
【０００８】
すなわち例えば、携帯情報端末を用いてテレビジョン受像機をリモートコントロールし、次に、ビデオディスクレコーダを、さらにその次にオーディオ機器をリモートコントロールするような場合、ユーザは、以下のような操作を行わなければならなくなる。
【０００９】
先ず、ユーザは、携帯情報端末に備えられている画面上にアプリケーションプログラムの選択メニューを表示させ、その選択メニュー内に用意されている複数のアプリケーションプログラムの中から、テレビジョンリモートコントロール用のプログラムを選択して当該プログラムを起動させるような操作を行う。これにより、当該携帯情報端末にてテレビジョン受像機のリモートコントロールが可能となる。
【００１０】
次に、ユーザは、再び画面上にアプリケーションプログラムの選択メニューを表示させ、その選択メニュー内に用意されている複数のアプリケーションプログラムの中から、ビデオディスクレコーダ用のプログラムを選択して当該プログラムを起動させるような操作を行う。これにより、当該携帯情報端末にてビデオディスクレコーダのリモートコントロールが可能となる。
【００１１】
さらにその次に、ユーザは、再び画面上にアプリケーションプログラムの選択メニューを表示させ、その選択メニュー内に用意されている複数のアプリケーションプログラムの中から、オーディオ機器用のプログラムを選択して当該プログラムを起動させるような操作を行う。これにより、携帯情報端末にてオーディオ機器のリモートコントロールが可能となる。
【００１２】
このように、携帯情報端末にて複数の電子機器をリモートコントロールするためには、制御対象を代える度に、リモートコントロール機能の設定をやり直さなければならない。特に、各電子機器の種別やメーカ名等を憶えていないような場合には、リモートコントロール機能の設定の際に何れの種別等であるのかを、その都度、確認しなければならず、非常に煩雑である。
【００１３】
なお、例えば制御対象となる電子機器に対するリモートコントロール機能の設定内容を、いわゆるショートカット機能により登録しておくことも可能である。しかしならが、その場合も上述同様に、所望の電子機器を制御するためには、先ず、ショートカット用の選択メニューを画面表示させ、その選択メニュー内に登録されている複数のショートカット項目の中から、所望の電子機器のリモートコントロール用のショートカット項目を選択することで、その電子機器のリモートコントロール用アプリケーションプログラムをさせるような操作が必要となり、やはりユーザにとって分かり易い操作とは必ずしも言い難い。
【００１４】
その他、上述した特開２００３−８６９５号の公開特許公報（特許文献１）に記載の技術において、本体構成部の互いの相対位置と、リモートコントロール機能用のアプリケーションプログラムの起動とを対応付けておくことも可能であるが、この場合、ユーザは、リモートコントロール機能用のアプリケーションプログラムの起動位置と本体構成部の相対位置との対応関係を憶えていなければならず、したがって例えば、本体構成部の相対位置を間違えて設定した場合には、リモートコントロール機能用のアプリケーションプログラムとは全く別のアプリケーションプログラム（例えばメール機能用のアプリケーションプログラム）が起動してしまうことになり、やはりユーザにとって分かり易い操作とは必ずしも言い難い。
【００１５】
本発明は、このような実情に鑑みて提案されたものであり、複数の電子機器をリモートコントロール可能であると同時に、ユーザにとって直感的で非常に分かり易い操作を実現可能とする携帯情報端末及びリモートコントロール方法を提供することを目的とする。
【課題を解決するための手段】
【００１６】
本発明の携帯情報端末は、連結部を介して各筐体間の相対的な配置状態を変更可能に連結された少なくとも二つの筐体と、所定の通信方式により近距離無線信号を少なくとも送信する近距離無線送信部と、筐体間の相対的な配置状態を検出する配置状態検出部と、配置状態検出部にて検出可能で且つ複数の電子機器に各々関連付けられた複数の相対的配置状態と複数の電子機器を各々遠隔操作するための複数の遠隔操作用アプリケーションプログラムとをそれぞれ任意に対応付けた対応表を記憶する記憶部と、配置状態検出部にて検出された相対的配置状態に基づいて、記憶部の対応表から遠隔操作用アプリケーションプログラムを参照してその遠隔操作用アプリケーションプログラムを起動し、当該遠隔操作用アプリケーションプログラムによる制御コマンドを近距離無線送信部から送出させる制御部とを有することにより、上述した課題を解決する。
【００１７】
また、本発明のリモートコントロール方法は、連結部を介して各筐体間の相対的な配置状態が変更可能に連結された少なくとも二つの筐体間の相対的な配置状態を配置状態検出部が検出するステップと、複数の電子機器に各々関連付けられた複数の相対的配置状態とそれら複数の電子機器を各々遠隔操作するための複数の遠隔操作用アプリケーションプログラムとがそれぞれ任意に対応付けて記憶部に記憶されている対応表から、相対的配置状態に応じた遠隔操作用アプリケーションプログラムを参照するステップと、その参照により得られた遠隔操作用アプリケーションプログラムを起動するステップと、その起動した遠隔操作用アプリケーションプログラムによる制御コマンドを近距離無線送信部から送出させるステップとを有することにより、上述した課題を解決する。
【００１８】
すなわち、本発明によれば、複数の電子機器に各々関連付けられた相対的配置状態と、複数の電子機器を各々遠隔操作するための複数の遠隔操作用アプリケーションプログラムとが、任意に対応付けて記憶されているため、利用者は、筐体間の相対的配置状態を、所望の電子機器に関連付けられた所望の配置状態にすることにより、その電子機器を遠隔操作可能となる。
【発明の効果】
【００１９】
本発明によれば、複数の電子機器に各々関連付けられた筐体間の相対的配置状態と各遠隔操作用アプリケーションプログラムとが任意に対応付けて記憶されており、筐体間の相対的配置状態を所望の配置状態にすることで所望の電子機器を遠隔操作可能となされているため、利用者は、直感的で非常に分かり易い操作により複数の電子機器を個々にリモートコントロールすることができる。
【発明を実施するための最良の形態】
【００２０】
以下、図面を参照しながら、本発明の携帯情報端末及びリモートコントロール方法の一実施形態について説明する。
【００２１】
なお、本実施形態では、本発明の携帯情報端末の一例として、携帯電話端末を挙げているが、勿論、ここで説明する内容はあくまで一例であり、本発明はこの例に限定されないことは言うまでもない。
【００２２】
〔携帯電話端末の外観と回転動作〕
図１〜図４には、本発明実施形態の携帯電話端末の外観を示す。
【００２３】
本実施形態の携帯電話端末は、ディスプレイパネル３等を備えた上部筐体１と、当該上部筐体１の下側に配され且つ上記ディスプレイパネル３の表示面と同一方向の表面上にテンキー等を備えた下部筐体２とが、それぞれ筐体一端部に設けられた回転ヒンジ機構を中心として互いに主面に対して水平方向に回動自在となされたいわゆる回転オープン型の携帯電話端末である。図１は、本実施形態の携帯電話端末を開いた状態を示し、図３は携帯電話端末を閉じた状態を、図３及び図４は回転ヒンジ機構を中心として上部筐体１を下部筐体２に対して略々９０度回転させた状態を示している。なお、以下の説明では、図１の状態を筐体間相対角度が０度の状態と呼び、図２の状態を筐体間相対角度が１８０度の状態と呼び、図３の状態を筐体間相対角度が左９０度（若しくは２７０度）の状態と呼び、図４の状態を筐体間相対角度が右９０度（若しくは単に９０度）の状態と呼ぶことにする。なお、本実施形態の携帯電話端末の場合、上記図１に示した筐体間相対角度０度の状態から、回転ヒンジ機構を回転中心とした右回り及び左回り共に、図２に示した筐体間相対角度１８０度の状態まで回動自在となされている。
【００２４】
上部筐体１には、ディスプレイパネル３の他、発信や着信の際に使用される通話キー６、通話の終了や実行中のアプリケーションの終了，電源のオン／オフ等に用いられる終了キー７、メニュー選択やディスプレイ画面上でのカーソル移動用などに用いられるディスク型ジョグダイヤル５の他、図示しない通話用のスピーカや、入力した情報をクリア（削除）する際に用いられるクリアキー、電子メールの作成や送受信，メール機能の各種設定等に使用されるメール機能キー、文字入力における文字種変換等に用いられる切替キー等の各種操作子、赤外線通信を行うための赤外線通信デバイス４が設けられている。なお、これら上部筐体１に設けられるディスプレイパネル３や各キー、ディスク型ジョグダイヤル５等は、図２のように本実施形態の携帯電話端末が閉じた状態になされたときでも常に外側となる一表面部（以後、この筐体表面部を特にディスプレイ設置面と呼ぶ）上に配置されている。
【００２５】
ディスプレイパネル３は、電話番号表示や待ち受け画像の表示，電子メールの文章表示，音楽再生時の画面表示、メニュー選択時の各メニュー項目の表示、各種のアプリケーションプログラムが実行されている時の様々な表示等を行うための液晶ディスプレイパネルやＥＬ（electroluminescence ）ディスプレイパネルからなる。当該ディスプレイパネル３は上部筐体１のディスプレイ設置面上に設けられているため、ユーザは、本実施形態の携帯電話端末が閉じた状態になされたときでも当該ディスプレイパネル３上の画面表示を見ることができる。
【００２６】
ディスク型ジョグダイヤル５は、回転ダイヤル（回転操作子）と十字キー（方向指示操作子）とプッシュボタン（押下操作子）とが一体化された操作デバイスである。回転ダイヤルは、当該ディスク型ジョグダイヤル５の最外周部に設けられ、上部筐体１のディスプレイ設置面に対して略々垂直となされている回転軸を中心にして回動自在に構成されていると共に、内部にホール素子（図示は省略）などの回転検出機構を備えている。本実施形態の携帯電話端末は、当該回転検出機構からの回転検出信号（例えばホール素子から出力されたパルス信号）により、ユーザが当該回転ダイヤルを何れの方向にどの程度回転させたのかを検出可能となされている。十字キーは、上記回転ダイヤルの内周側に環形状にて形成されると共に、その内部に、例えば弾性変形可能な傾倒部材（図示は省略）と、ユーザによる少なくとも上，下，左，右方向への傾倒操作を検出可能な四つのスイッチ等からなる傾倒方向検出機構（図示は省略）とを有して構成されている。プッシュボタンは、当該ディスク型ジョグダイヤル５の中心部に設けられており、上部筐体１のディスプレイ設置面に対して略々垂直方向への押下操作を検出する押下スイッチ機構を備えて構成されている。このディスク型ジョグダイヤル５は、当該外部筐体１のディスプレイ設置面上に設けられているため、本実施形態の携帯電話端末が閉じた状態になされたときでも、ユーザは上記回転ダイヤル、十字キー、プッシュボタンをそれぞれ操作可能である。
【００２７】
下部筐体２には、電話番号等の入力に使用される「０」キー〜「９」キーのテンキーと「＊」キー及び「＃」キーとからなる１２キー８の他、図示しない通話用マイクロホン、例えば着信時に着信音を出さないようにする際に操作されるマナーキー、例えば音声を録音する際などに操作されるメモキーなどが設けられている。これら下部筐体２に設けられる各キーは、本実施形態の携帯電話端末が閉じた状態になされたときには上部筐体１により覆われてしまう一表面部（以後、この筐体表面部を特にテンキー設置面と呼ぶ）上に配置されている。
【００２８】
また、当該下部筐体２内には、主要な回路構成が設けられていると共に、着脱可能なバッテリとそのバッテリからの電力を各部に供給するための電源系が設けられている。
【００２９】
その他、詳細については後述するが、本実施形態の携帯電話端末は、上部筐体１と下部筐体２との相対角度が何れの角度になっているのかを検出するための相対角度検知センサが、回転ヒンジ機構内に設けられている。特に、本実施形態の場合、当該相対角度検知センサにより、上部筐体１と下部筐体２との相対角度が、少なくとも図１に示した筐体間相対角度０度、図４に示した右９０度、図２に示した１８０度、図３に示した左９０度（２７０度）の何れになっているかを検出可能となされている。
【００３０】
〔携帯電話端末の内部構成〕
次に、図５には、本実施形態の携帯電話端末の概略的な内部構成を示す。
【００３１】
通信アンテナ２２は、例えば内蔵アンテナであり通話やパケット通信のための信号電波の送受信を行う。通信回路２１は、送受信信号の周波数変換、変調と復調等を行う。なお、パケット通信により送受信されるデータは、電子メールデータ、動画像や静止画の画像データ、音声データ、ＨＴＭＬ（Hyper Text Markup Language）データ、プログラムデータ、その他の各種データである。ここで、上記通信アンテナ２２及び通信回路２１の受信データが通話音声のデータである場合、その通話音声のデータはデータラインを介して音声処理部３２へ送られ、それ以外の受信データは一旦、制御部２０へ送られて処理された後、必要に応じて当該制御部２０から各部へ送られる。
【００３２】
音声処理部３２は、上記通信アンテナ２２及び通信回路２１から通話音声の受信データが供給された時には、当該通話音声の受信データを復号化し、その復号化後の通話音声データをデータラインを介してスピーカ３０へ送る。なお、音声処理部３２は、制御部２０により設定される各種音質調整値（例えば音量、イコライジングなど）に基づいて、音声や音楽等を補正してスピーカ３０へ出力する処理等をも行う。
【００３３】
スピーカ３０は、携帯電話端末に設けられている受話用スピーカやリンガ（着信音）、音楽再生、アラーム音出力用の各スピーカを含み、ディジタル／アナログ変換器と増幅器を備え、通話音声やリンガ音，再生音楽のデータを、ディジタル／アナログ変換及び増幅した後に出力する。これにより、通話音声やリンガ音，再生音楽が得られることになる。
【００３４】
マイクロホン３１は、送話用のマイクロホンであり、アナログ／ディジタル変換器と増幅器を備えている。このマイクロホン３１を介して入力された通話音声信号は、増幅器により所定のレベルに増幅された後、アナログ／ディジタル変換器によりディジタル音声データに変換され、データラインを介して音声処理部３２へ送られて符号化された後、データラインを介して通信回路２１へ送られて変調、周波数変換等の各種処理を受け、通信アンテナ２２から送信される。
【００３５】
表示部２３は、ディスプレイパネル３の例えば液晶ディスプレイとその液晶ディスプレイへの表示駆動回路とを備え、上記ディスプレイ上に画像や文字，メニュー画像等を表示する。
【００３６】
画像処理部３３は、内蔵メモリや図示しない外部メモリインターフェースを介して外部メモリから読み出された圧縮符号化されている画像データが供給された時には、その画像データの伸張復号化等の再生処理を行い、その伸張復号後の画像データをデータラインを介して表示部２３へ送る。なお、画像処理部３３は、制御部２０により設定される各種画質調整値（例えばホワイトバランス、ブライトネス、コントラスト、ガンマ補正など）に基づいて、画像の補正を行って表示部２３へ出力する。
【００３７】
操作部２４は、本実施形態の携帯電話端末の筐体上に設けられている１２キー８や発話キー、終話／電源キー等の各キー、ディスク型ジョグダイヤル５等からなる操作デバイスと、それら操作デバイスの操作に応じた信号を生成する操作信号発生回路とからなる。操作信号発生回路により生成された操作信号は、制御部２０に送られる。
【００３８】
メモリ２５は、ＲＯＭ（Read Only Memory）とＲＡＭ（Random Access Memory）からなる。
【００３９】
ＲＯＭは、ＯＳ（Operating System）、制御部２０が各部を制御するための制御プログラムや各種の初期設定値、フォントデータ、辞書データ、着信音やキー操作音，アラーム音用の報知音データ、メニュー表示等を行うためのプログラム、電子メールの作成や編集等を行うためのアプリケーションプログラム、画像や音声に対して様々な処理を行うためのアプリケーションプログラム、電子ゲームのアプリケーションプログラム、その他、携帯電話端末に搭載される各種のアプリケーションプログラム、当該携帯電話端末の識別情報（ＩＤ）などを記憶している。上記ＲＯＭは、いわゆるＮＡＮＤ型フラッシュメモリ（NAND-type flash memory）のような書き換え可能なＲＯＭを含み、電子メールデータ、ユーザにより設定される電話帳や電子メールアドレス、ユーザのスケジュールデータ、画像データ、ダウンロードされた画像データや音楽データ、ダウンロードされた着信音，報知音データ、文字データや予測変換の候補単語の登録データや予測変換の学習データ、各アプリケーションプログラム、その他、各種のユーザ設定値等を新たに保存したり、消去したりすることも可能となされている。
【００４０】
特に、本実施形態の場合、当該ＲＯＭには、例えばテレビジョン受像機、ビデオディスクレコーダ、オーディオ機器、エアコンディショナ、照明器具などの各種家庭用の電子機器を個々にリモートコントロールするための複数のリモートコントロール用アプリケーションプログラムが記憶されると共に、それら各リモートコントロール用アプリケーションプログラムの起動と筐体間相対角度とを各々対応付けたテーブルデータの登録、すなわち言い換えると、リモートコントロール用アプリケーションプログラムにより制御される電子機器と筐体間相対角度とを各々対応付けたテーブルデータの登録が可能となされており、さらに、そのテーブルデータを参照して、筐体間相対角度に対応したリモートコントロール用アプリケーションを起動させるための起動用アプリケーションプログラムも記憶されている。なお、それら複数のリモートコントロール用のアプリケーションプログラムには、被制御対象となり得る各電子機器のメーカ別のリモートコントロールコマンドの情報も含まれている。
【００４１】
ＲＡＭは、制御部２０が各種のデータ処理を行う際の作業領域として、随時データを格納する。
【００４２】
相対角度検出部３５は、回転ヒンジ機構内に設けられている相対角度検知センサに相当し、上部筐体１と下部筐体２との相対角度が何れの角度になっているのかを検出し、その相対角度検出信号を制御部２０へ送る。
【００４３】
赤外線通信部３４は、前述した赤外線通信デバイス４に相当する。
【００４４】
上記制御部２０は、通信回路２１における通信の制御、音声処理部３２や画像処理部３３の制御の他、本実施形態の携帯電話端末の各構成要素の制御や各種演算処理を行う。また、制御部２０は、上記操作部２４のキー操作デバイスからの信号により、ユーザがどのような操作入力を行ったかを認識する。また、制御部２０は、相対角度検出部３５から供給される相対角度検出信号により、上部筐体１と下部筐体２との相対角度が何れの角度になっているのかを認識する。また、制御部２０は、赤外線通信部３４を介して、外部機器との間でデータ通信を行ったり、外部機器に対して各種の制御コマンドを送信することも可能となされている。
【００４５】
その他、図５には図示を省略しているが、本発明の携帯電話端末は、ブラウザ機能、外部メモリインターフェース、外部ケーブル用コネクタ、赤外線通信機能、近距離無線通信機能、電子財布機能、カメラ機能、ＬＥＤの発光機能、バイブレータ機能など、一般的な携帯電話端末が備えている各構成要素についても備えている。
【００４６】
〔筐体間相対角度とリモートコントロール用アプリケーションの登録例〕
本実施形態の携帯電話端末によれば、前述したように、メモリ２５には、各種家庭用の電子機器をリモートコントロールするためのリモートコントロール用アプリケーションプログラムが記憶されていると共に、それら各リモートコントロール用アプリケーションプログラムの起動と筐体間相対角度とを各々対応付けたテーブルデータが登録可能となされており、さらに、筐体間相対角度に対応したリモートコントロール用アプリケーションを起動させるための起動用アプリケーションプログラムも記憶されている。
【００４７】
ここで、上記各リモートコントロール用アプリケーションプログラムや起動用アプリケーションプログラムは、例えば工場出荷時にメモリ２５に書き込まれていても良いし、例えばインターネット等を介してダウンロードされてメモリ２５に書き込まれても良い。
【００４８】
また、上記テーブルデータとして登録される上記筐体間相対角度とリモートコントロール用アプリケーションプログラムの対応付けは、ユーザにより任意に設定可能となされている。上記筐体間相対角度とリモートコントロール用アプリケーションプログラムの対応付けのテーブル登録は、例えば以下のような手順で制御部２０により行われる。
【００４９】
先ず、例えばメニュー選択画面において、操作部２４のユーザ操作を介して、テーブル登録用のメニュー項目が選択されると、制御部２０は、ディスプレイパネル３の画面上に、リモートコントロール用アプリケーションプログラムのリストを表示させる。
【００５０】
次に、操作部２４のユーザ操作を介して、上記リストの中から制御対象の電子機器を制御するためのリモートコントロール用アプリケーションプログラムが選択され、さらに、上部筐体１若しくは下部筐体２がユーザにより回転操作されることで筐体間相対角度がユーザ所望の角度になされ、その状態で操作部２４を介してユーザから所定の決定指示が入力された時、制御部２０は、その状態での相対角度検出センサの相対角度検出値と上記選択されたリモートコントロール用アプリケーションプログラムとを対応付けてテーブルに登録する。
【００５１】
勿論、本実施形態の携帯電話端末によれば、登録途中の内容や登録後の内容を例えばディスプレイパネル３に画面表示することも可能となされている。
【００５２】
なお、ユーザによる上記リモートコントロール用アプリケーションプログラムの選択と、ユーザによる上記筐体間相対角度の設定の順番については、上述の例に限定されず、先に筐体間相対角度が設定され、その後にリモートコントロール用アプリケーションプログラムの選択が行われても良い。
【００５３】
また、本実施形態の携帯電話端末によれば、幾つかのリモートコントロール用アプリケーションプログラムに対して、それぞれ異なる筐体間相対角度を対応付けてテーブルに登録することが可能となされている。
【００５４】
〔筐体間相対角度に応じたリモートコントロールの具体例〕
上述したように、本実施形態の携帯電話端末にリモートコントロール用アプリケーションと筐体間相対角度の対応テーブルが登録されており、さらに当該端末の動作モードがリモートコントロールモードになされている場合において、上部筐体１若しくは下部筐体２がユーザにより回転操作されることで、筐体間相対角度がテーブルに登録されている角度になされた時、制御部２０は、当該筐体間相対角度に対応しているリモートコントロール用アプリケーションプログラムを起動させる。
【００５５】
これにより、ユーザは、当該携帯電話端末を用いて、上記起動したリモートコントロール用アプリケーションプログラムに対応した電子機器を遠隔操作可能となる。
【００５６】
勿論、本実施形態の携帯電話端末によれば、起動したリモートコントロール用アプリケーションプログラムにより遠隔操作可能となった電子機器に関する情報等を、例えばディスプレイパネル３に画面表示することも可能となされている。
【００５７】
また、本実施形態の携帯電話端末において、幾つかの電子機器のリモートコントロール用アプリケーションプログラムについてそれぞれ異なる筐体間相対角度が対応付けられてテーブルに登録されており、さらに当該端末の動作モードがリモートコントロールモードになされている場合において、上部筐体１若しくは下部筐体２がユーザにより回転操作されることで筐体間相対角度が変更された時、制御部２０は、その筐体間相対角度の変更に応じて、リモートコントロール用アプリケーションプログラムを切り替えて起動させる。
【００５８】
これにより、ユーザは、筐体間相対角度を変更するだけで、その携帯電話端末によりリモートコントロールされる制御対象の電子機器を変更して遠隔操作できることになる。
【００５９】
勿論、本実施形態の携帯電話端末によれば、リモートコントロール用アプリケーションプログラムが切り替えられた時には、その切り替えにより遠隔操作可能となった電子機器に関する情報等を、例えばディスプレイパネル３に画面表示することも可能となされている。
【００６０】
図６〜図９には、筐体間相対角度の０度に対して電子機器Ａのリモートコントロール用アプリケーションプログラムが登録され、筐体間相対角度の右９０度に対して電子機器Ｂのアプリケーションプログラムが登録され、筐体間相対角度の１８０度に対して電子機器Ｃのアプリケーションプログラムが登録され、筐体間相対角度の左９０度（２７０度）に対して電子機器Ｃのアプリケーションプログラムが登録されている場合の、携帯電話端末１０と各電子機器Ａ〜Ｃの配置例を示している。
【００６１】
この例において、図６に示すように、筐体間相対角度が０度になされた場合、携帯電話端末１０は電子機器Ａをリモートコントロール可能になる。また、図７に示すように、筐体間相対角度が右９０度になされた場合、携帯電話端末１０は電子機器Ｂをリモートコントロール可能になる。また、図８に示すように、筐体間相対角度が１８０度になされた場合、携帯電話端末１０は電子機器Ｃをリモートコントロール可能になる。また、図９に示すように、筐体間相対角度が左９０度になされた場合、携帯電話端末１０は電子機器Ｄをリモートコントロール可能になる。
【００６２】
すなわち言い換えると、本実施形態によれば、これら図６〜図９の例のように、電子機器Ａ〜Ｄが部屋内に配置されている配置位置と、携帯電話端末１０の筐体間相対角度とを関連付けるようにし、さらにそれら各電子機器Ａ〜Ｄのリモートコントロール用アプリケーションプログラムを筐体間相対角度にそれぞれ対応付けて登録しておくようにすれば、ユーザは、部屋内における各電子機器Ａ〜Ｄの配置を元に、直感的に携帯電話端末１０の筐体間相対角度を合わせるだけで、それら電子機器Ａ〜Ｄを遠隔操作することが可能となる。
【００６３】
また、本実施形態の携帯電話端末は、実際に電子機器Ａ〜Ｄをリモートコントロールする際に、リモートコントロール用アプリケーションプログラムの起動状態を保持可能にするホールド機能をも備えている。
【００６４】
すなわち、本実施形態の携帯電話端末は、筐体間相対角度に応じて何れかの電子機器のリモートコントロール用アプリケーションプログラムが起動した後、例えば操作部２４を介してユーザから所定のホールド指示入力がなされた場合には、その後に上記筐体間相対角度が他の角度に変更された場合であっても、当該変更後の角度により別のリモートコントロール用アプリケーションプログラムが起動してしまわないようにするホールド機能を備えている。
【００６５】
より具体的に説明すると、例えば、電子機器Ｂを遠隔操作可能にするために筐体間相対角度を右９０度に合わせ、それにより電子機器Ｂのリモートコントロール用アプリケーションプログラムが起動した後、例えば操作部２４を介してユーザから所定のホールド指示入力がなされた場合には、その後に上記筐体間相対角度が例えば図１の例のような状態（筐体間相対角度０度）に戻されたとしても、当該携帯電話端末は、電子機器Ｂのみをリモートコントロールする。
【００６６】
勿論、本実施形態の携帯電話端末によれば、リモートコントロールのホールドがなされている場合には、そのホールドにより遠隔操作可能となった電子機器に関する情報等を、例えばディスプレイパネル３に画面表示することも可能となされている。
【００６７】
〔筐体間相対角度に応じたリモートコントロール用アプリケーションプログラムの切替起動のフローチャート〕
図１０には、筐体間相対角度に応じてリモートコントロール用アプリケーションプログラムを切り替えて起動させる起動用アプリケーションプログラムの処理の流れを示す。なお、この図１０のフローチャートは、主に制御部２０にて行われる処理である。
【００６８】
図１０において、制御部２０は、ステップＳ１の判定処理として、例えば操作部２４を介してユーザから所定のモード設定指示入力がなされたことにより、当該携帯電話端末の動作モードがリモートコントロールモード（リモコンモード）になっているか否かを判定し、リモートコントロールモードになっていないと判定した場合には、ステップＳ２の処理として、リモートコントロール以外の通常の動作を行う。一方、ステップＳ１にてリモートコントロールモードになされていると判定した場合、制御部２０は、ステップＳ３へ処理を進める。
【００６９】
ステップＳ３の判定処理に進むと、制御部２０は、相対角度検出部３５から供給されている筐体間相対角度の検出信号により、当該携帯電話端末における現在の筐体間相対角度が０度になっているか否か判定する。このステップＳ３の判定処理において、筐体間相対角度が０度であると判定した場合、制御部２０は、ステップＳ４の処理として、電子機器Ａのリモートコントロール用アプリケーションプログラムを起動させた後、ステップＳ１２へ処理を進め、そのリモートコントロール用アプリケーションプログラムに基づいて、上記電子機器Ａの遠隔操作を可能とする。また、このステップＳ１２において、ユーザからのホールド指示入力がなされた場合には、制御対象を電子機器Ａにホールドする処理も行う。一方、ステップＳ３の判定処理において、筐体間相対角度が０度ではないと判定した場合、制御部２０は、ステップＳ５へ処理を進める。
【００７０】
ステップＳ５の判定処理に進むと、制御部２０は、相対角度検出部３５からの筐体間相対角度検出信号により、現在の筐体間相対角度が右９０度になっているか否か判定する。このステップＳ５の判定処理において、筐体間相対角度が右９０度であると判定した場合、制御部２０は、ステップＳ６の処理として、電子機器Ｂのリモートコントロール用アプリケーションプログラムを起動させた後、ステップＳ１２へ処理を進め、そのリモートコントロール用アプリケーションプログラムに基づいて、上記電子機器Ｂの遠隔操作を可能とする。また、このステップＳ１２において、ユーザからのホールド指示入力がなされた場合には、制御対象を電子機器Ｂにホールドする処理も行う。一方、ステップＳ５の判定処理において、筐体間相対角度が右９０度ではないと判定した場合、制御部２０は、ステップＳ７へ処理を進める。
【００７１】
ステップＳ７の判定処理に進むと、制御部２０は、相対角度検出部３５からの筐体間相対角度検出信号により、現在の筐体間相対角度が１８０度になっているか否か判定する。このステップＳ７の判定処理において、筐体間相対角度が１８０度であると判定した場合、制御部２０は、ステップＳ６の処理として、電子機器Ｃのリモートコントロール用アプリケーションプログラムを起動させた後、ステップＳ１２へ処理を進め、そのリモートコントロール用アプリケーションプログラムに基づいて、上記電子機器Ｃの遠隔操作を可能とする。また、このステップＳ１２において、ユーザからのホールド指示入力がなされた場合には、制御対象を電子機器Ｃにホールドする処理も行う。一方、ステップＳ７の判定処理において、筐体間相対角度が１８０度ではないと判定した場合、制御部２０は、ステップＳ９へ処理を進める。
【００７２】
ステップＳ９の判定処理に進むと、制御部２０は、相対角度検出部３５からの筐体間相対角度検出信号により、現在の筐体間相対角度が２７０度（左９０度）になっているか否か判定する。このステップＳ９の判定処理において、筐体間相対角度が２７０度（左９０度）であると判定した場合、制御部２０は、ステップＳ１０の処理として、電子機器Ｄのリモートコントロール用アプリケーションプログラムを起動させた後、ステップＳ１２へ処理を進め、そのリモートコントロール用アプリケーションプログラムに基づいて、上記電子機器Ｄの遠隔操作を可能とする。また、このステップＳ１２において、ユーザからのホールド指示入力がなされた場合には、制御対象を電子機器Ｄにホールドする処理も行う。一方、ステップＳ９の判定処理において、筐体間相対角度が２７０度（左９０度）ではないと判定した場合、制御部２０は、ステップＳ１１へ処理を進める。
【００７３】
ステップＳ１１の処理に進むと、制御部２０は、現在の筐体間相対角度がテーブルに登録されている角度と一致せず、したがって、リモートコントロール用アプリケーションプログラムを起動できないため、ディスプレイパネル３に通常のリモートコントロール用のメニュー選択画面を表示させるプログラムを実行し、ユーザに対して、そのメニュー選択画面からリモートコントロールの制御対象とすべき所望の電子機器を選択（つまりリモートコントロール用アプリケーションプログラムの選択）させるようにする。
【００７４】
〔相対角度検出部とその動作例〕
次に、図１１〜図１６を用いて相対角度検出部３５の相対角度検出センサとその動作について説明する。相対角度検出部センサは、回転ヒンジ機構に例えば内蔵されている。回転ヒンジ機構は、上部筐体１側に設けられる円筒状の上部回転体と下部筐体２側に設けられる円筒状の下部回転体とを有して構成されており、それら上部回転体と下部回転体は、互いの中心軸が合わされ、上部回転体の中心軸に直交する円盤状端面と下部回転体の中心軸に直交する円盤状端面とが対峙して配置されている。上記上部回転体の円盤状端面には例えば図１１に示すような信号入出力基板４０が固設され、また、上記下部回転体の円盤状端面には例えば図１２に示すような端子導通用基板６０が固設されており、それら信号入出力基板４０と端子導通用基板６０の両対向面は、上記中心軸を回転中心として回動可能に摺接されている。
【００７５】
ここで、信号入出力基板４０は円盤状の絶縁部材により構成され、図１１に示すように、端子形成面の縁部に、当該端子形成面の中心点（以下、入出力基板中心点と呼ぶ）から例えば６０度の等角度間隔に、円形の導電部材からなる６個の端子４１〜４６が互いに絶縁されて形成されている。
【００７６】
また、信号入出力基板４０は、６個の端子４１〜４６のうち任意の１個の端子（以下、入力端子と呼ぶ）４１に導電性の信号入力線５１が接続されると共に、当該入力端子４１と入出力基板中心点に対して右回り方向側に隣接する１個の端子（以下、第１の出力端子と呼ぶ）４２、入力端子４１と入出力基板中心点に対して点対称な位置の１個の端子（以下、第２の出力端子と呼ぶ）４４、入力端子４１と入出力基板中心点に対して左回り方向側に隣接する１個の端子（以下、第３の出力端子と呼ぶ）４６にそれぞれ導電性の第１〜第３の信号出力線５２〜５４が接続されている。そして、上記信号入力線５１は端子４７を介して制御部２０に接続され、上記信号出力線５２〜５４は、それぞれ対応した端子４８〜５０を介して制御部２０に接続されている。
【００７７】
さらに、信号入出力基板４０は、第１，第２の出力端子４２，４４間の１個の端子（以下、第１の非出力端子と呼ぶ）４３と、第２，第３の出力端子４４，４６間の１個の端子（以下、第２の非出力端子と呼ぶ）４５が外部や他の入力端子４１，第１〜第３の出力端子４２、４４、４６と絶縁されている。
【００７８】
一方、端子導通用基板６０は円盤状の絶縁部材により構成され、上記信号入出力基板４０の端子形成面と対向する対向面の縁部に、当該対向面の中心点（以下、導通用基板中心点と呼ぶ）から例えば６０度の等角度間隔に、円形の導電部材からなる６個の第１〜第６の端子６１〜６６が形成されている。
【００７９】
また、端子導通用基板６０は、第１の端子６１と、これと導通用基板中心点に対して点対称な位置の第４の端子６４とが導電性の第１の配線６７を介して電気的に接続されており、さらに、第１，第４の端子６１，６４間の第２，第３の端子６２，６３と、第５，第６の端子６５，６６とがそれぞれ導電性の第２，第３の配線６８，６９を介して電気的に接続されている。
【００８０】
そして、上部筐体１若しくは下部筐体２に対して一方向への回転操作がなされた時、信号入出力基板４０の絶縁部材の端子形成面に対して、端子導通用基板６０の絶縁部材の対向面が導通基板中心点を通る中心軸で一方向に回転することにより、上部筐体１と下部筐体２が相対的に１８０度回転する間には、先ず、図１３の（ａ）に示すように、例えば、端子導通用基板６０の第１，第４の端子６１，６４と第１の配線６７とを介して、信号入出力基板４０の入力端子４１と第２の出力端子４４とが導通し、次いで、図１３の（ｂ）に示すように、信号入出力基板４０の入力端子４１と第１〜第３の出力端子４２，４４，４６の全てが絶縁された後、図１３の（ｃ）に示すように、端子導通用基板６０の第２，第３の端子６２，６３と第２の配線６８とを介して、信号入出力基板４０の入力端子４１と第３の出力端子４６とが導通する。次に、図１３の（ｄ）に示すように、信号入出力基板４０の入力端子４１と第１〜第３の出力端子４２，４４，４６の全てが絶縁された後、図１４の（ｅ）に示すように、端子導通用基板６０の第５，第６の端子６５，６６と第３の配線６９とを介して、信号入出力基板４０の入力端子４１と第１の出力端子４２とが導通される。続いて、図１４の（ｆ）に示すように、信号入出力基板４０の入力端子４１と第１〜第３の出力端子４２，４４，４６の全てが絶縁された後、図１４の（ｇ）に示すように、端子導通用基板６０の第４，第１の端子６４，６１と第１の配線６７とを介して、信号入出力基板４０の入力端子４１と第２の出力端子４４とが導通される。
【００８１】
このようにして端子導通用基板２６では、上部筐体１と下部筐体２が相対的に一方向に１８０度回転すると、以上説明した信号入出力基板４０の入力端子４１に対する第１〜第３の出力端子４２、４４、４６の導通が切り替えられることになる。これにより、制御部２０は、上記端子４８〜５０を介して供給される導通の切り替えパターンに基づいて、上部筐体１と下部筐体２が相対的に一方向に１８０度回転する間における筐体間相対角度を検出可能となる。
【００８２】
一方、上部筐体１と下部筐体２に対して他方向への回転操作がなされた時、信号入出力基板４０の端子形成面に対して、端子導通用基板６０が導通基板中心点を通る中心軸で他方向に回転することにより、上部筐体１と下部筐体２が相対的に１８０度回転する間には、先ず、図１５の（ａ）に示すように、例えば、端子導通用基板６０の第１，第４の端子６１，６４と第１の配線６７とを介して信号入出力基板４０の入力端子４１と第２の出力端子４４が導通し、次いで、図１５の（ｂ）に示すように、信号入出力基板４０の入力端子４１と第１〜第３の出力端子４２，４４，４６の全てが絶縁された後、図１５の（ｃ）に示すように、端子導通用基板６０の第２，第３の端子６２，６３と第２の配線６８とを介して、信号入出力基板４０の入力端子４１と第１の出力端子４２とが導通する。次に、図１５の（ｄ）に示すように、信号入出力基板４０の入力端子４１と第１〜第３の出力端子４２，４４，４６の全てが絶縁された後、図１６の（ｅ）に示すように、端子導通用基板６０の第３，第２の端子６３，６２と第２の配線６８とを介して、信号入出力基板４０の入力端子４１と第３の出力端子４６とが導通される。続いて、図１６の（ｆ）に示すように、信号入出力基板４０の入力端子４１と第１〜第３の出力端子４２，４４，４６の全てが絶縁された後、図１６の（ｇ）に示すように、端子導通用基板６０の第４，第１の端子６４，６１と第１の配線６７とを介して、信号入出力基板４０の入力端子４１と第２の出力端子４４とが導通される。
【００８３】
このようにして端子導通用基板２６では、上部筐体１と下部筐体２が相対的に他方向に１８０度回転すると、以上説明した信号入出力基板４０の入力端子４１に対する第１〜第３の出力端子４２、４４、４６の導通が切り替えられることになる。これにより、制御部２０は、上記端子４８〜５０を介して供給される導通の切り替えパターンに基づいて、上部筐体１と下部筐体２が相対的に他方向に１８０度回転する間における筐体間相対角度を検出可能となる。
【００８４】
〔まとめ〕
以上説明したように、本発明の実施形態によれば、筐体間相対角度とリモートコントロール用アプリケーションプログラムの起動とを対応付けてユーザが任意に登録可能となされているため、例えば、部屋内に設置されている各電子機器の配置位置に関連付けて筐体間相対角度とリモートコントロール用アプリケーションプログラムを対応付けて登録するようなことが可能となる。したがって、ユーザは、部屋内の様々な場所に配置されている各電子機器を遠隔操作する際に、各電子機器の種別やメーカ名等を憶えていなくても、それら電子機器の配置位置を元にして直感的に筐体間相対角度を決定することで、所望の電子機器を遠隔操作可能となる。
【００８５】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００８６】
例えば、本発明の携帯情報端末は、携帯電話端末に限定されず、ＰＤＡ等の各種の携帯端末にも適用可能であり、また、或る電子機器に付属しているリモートコントローラが他の電子機器のリモートコントロール機能を備えているような場合にも適用可能である。
【００８７】
また、本実施形態では、いわゆる回転オープン型の携帯電話端末を例に挙げたが、本発明は例えばいわゆる折り畳み型（クラムシェル型）の携帯電話端末や、折り畳み機構と回転ヒンジ機構が一体化されたいわゆる爪切り型の携帯電話端末、二つの筐体が互いに相対的に一方向に水平にスライドするいわゆるスライド型の携帯電話端末にも適用可能である。例えば折り畳み型の携帯電話端末の場合は、例えば折り畳み機構による折り畳み角度に応じて、起動するリモートコントロール用アプリケーションプログラムを切り替えることができる。また、爪切り型の携帯電話端末の場合には、折り畳み機構による折り畳み角度や回転ヒンジ機構による筐体間相対角度、さらにはそれら角度の組み合わせに応じて、起動するリモートコントロール用アプリケーションプログラムを切り替えることができる。また、スライド型の携帯電話端末の場合には、例えばスライド量或いはスライド位置に応じて、起動するリモートコントロール用アプリケーションプログラムを切り替えることができる。
【００８８】
また、上述の実施形態では、筐体間相対角度に応じて、起動するリモートコントロール用アプリケーションプログラムを切り替える例を挙げたが、例えば地磁気センサーによる方角とリモートコントロール用アプリケーションプログラムを対応付けて登録することで、方角指定によるリモートコントロールも可能となる。
【００８９】
また、上述の実施形態では、赤外線により電子機器をリモートコントロールする例を挙げたが、例えばいわゆるブルートゥース（Bluetooth：登録商標）のような近距離無線により電子機器をリモートコントロールする場合にも適用可能である。なお、赤外線や近距離無線の場合、赤外線通信デバイスや近距離無線通信デバイスの向きと、電子機器の受信部の向きとが一致していなくても、充分にリモートコントロール可能である。
【図面の簡単な説明】
【００９０】
【図１】本発明実施形態の携帯電話端末の概略的な外観構成を示し、筐体間相対角度が０度である場合の外観図である。
【図２】本発明実施形態の携帯電話端末の概略的な外観構成を示し、筐体間相対角度が１８０度である場合の外観図である。
【図３】本発明実施形態の携帯電話端末の概略的な外観構成を示し、筐体間相対角度が左９０度（２７０度）である場合の外観図である。
【図４】本発明実施形態の携帯電話端末の概略的な外観構成を示し、筐体間相対角度が右９０度である場合の外観図である。
【図５】本発明実施形態の携帯電話端末の概略的な内部回路構成を示すブロック図である。
【図６】筐体間相対角度の０度に対して電子機器Ａのリモートコントロール用アプリケーションプログラムが登録されている場合の携帯電話端末と各電子機器の配置例を示している。
【図７】筐体間相対角度の右９０度に対して電子機器Ｂのリモートコントロール用アプリケーションプログラムが登録されている場合の携帯電話端末と各電子機器の配置例を示している。
【図８】筐体間相対角度の１８０度に対して電子機器Ｃのリモートコントロール用アプリケーションプログラムが登録されている場合の携帯電話端末と各電子機器の配置例を示している。
【図９】筐体間相対角度の左９０度（２７０度）に対して電子機器Ｄのリモートコントロール用アプリケーションプログラムが登録されている場合の携帯電話端末と各電子機器の配置例を示している。
【図１０】筐体間相対角度に応じてリモートコントロール用アプリケーションプログラムを切り替えて起動させる起動用アプリケーションプログラムの処理の流れを示すフローチャートである。
【図１１】回転ヒンジ機構内の上部回転体の円盤状端面に固設されている信号入出力基板の一例を示す図である。
【図１２】回転ヒンジ機構内の下部回転体の円盤状端面に固設されている端子導通用基板信号の一例を示す図である。
【図１３】上部筐体と下部筐体が相対的に一方向に回転操作されることで、筐体間相対角度が０度から９０度まで変化する際の、信号入出力基板と端子導通用基板の各端子と信号線及び配線の位置関係の変化の様子を示す図である。
【図１４】上部筐体と下部筐体が相対的に一方向に回転操作されることで、筐体間相対角度が９０度から１８０度まで変化する際の、信号入出力基板と端子導通用基板の各端子と信号線及び配線の位置関係の変化の様子を示す図である。
【図１５】上部筐体と下部筐体が相対的に他方向に回転操作されることで、筐体間相対角度が０度から９０度まで変化する際の、信号入出力基板と端子導通用基板の各端子と信号線及び配線の位置関係の変化の様子を示す図である。
【図１６】上部筐体と下部筐体が相対的に他方向に回転操作されることで、筐体間相対角度が９０度から１８０度まで変化する際の、信号入出力基板と端子導通用基板の各端子と信号線及び配線の位置関係の変化の様子を示す図である。
【符号の説明】
【００９１】
１上部筐体、２  下部筐体、３  ディスプレイパネル、４  赤外線通信デバイス、５  ディスク型ジョグダイヤル、６  通話キー、７  終了キー、８  １２キー、１０  携帯電話端末、２０  制御部、２１  通信回路、２２  通信アンテナ、２３  表示部、２４  操作部、２５  メモリ、３０  スピーカ、３１  マイクロホン、３２  音声処理部、３３  画像処理部、３４  赤外線通信部、３５  相対角度検出部、４０  信号入出力基板、４１  入力端子、４２  第１の出力端子、４３  第１の非出力端子、４４  第２の出力端子、４５  第２の非出力端子、４６  第３の出力端子、５１  信号入力線、５２  第１の信号出力線、５３  第２の信号出力線、５４  第３の信号出力線、６０  端子導通用基板、６１  第１の端子、６２  第２の端子、６３  第３の端子、６４  第６の端子、６５  第５の端子、６６  第６の端子、６７  第１の配線、６８  第２の配線、６９  第３の配線
【図１】
2007067511.tif 000003
【図２】
2007067511.tif 000004
【図３】
2007067511.tif 000005
【図４】
2007067511.tif 000006
【図５】
2007067511.tif 000007
【図６】
2007067511.tif 000008
【図７】
2007067511.tif 000009
【図８】
2007067511.tif 000010
【図９】
2007067511.tif 000011
【図１０】
2007067511.tif 000012
【図１１】
2007067511.tif 000013
【図１２】
2007067511.tif 000014
【図１３】
2007067511.tif 000015
【図１４】
2007067511.tif 000016
【図１５】
2007067511.tif 000017
【図１６】
2007067511.tif 000018